(57)【要約】【課題】新たな部材を追加することなく、簡易な方法で、手ブレの発生を撮影者に確実に警告する。【解決手段】ブレ補正機能付きデジタルカメラにおいて、補正演算手段により算出されるブレ補正手段の補正方向及び補正量のうち、補正方向を反転する演算を行う警告演算手段を有し、警告演算手段の算出結果に基づいてブレ補正手段を制御することで補正レンズをブレが増幅する方向に駆動させ、これにより揺動された被写体像を光学ファインダを介して撮影者に視認させることでブレの発生を警告する。【選択図】  図２
2011097449.tif 000002
【特許請求の範囲】
【請求項１】
ブレを補正するブレ補正駆動モードと、
ブレの発生を撮影者に警告するブレ警告駆動モードと、
を有するブレ補正機能付きデジタルカメラにおいて、
前記ブレ警告駆動モードにおける警告駆動は、前記ブレ補正駆動モードにおける補正駆動において補正方向を反転させた駆動であることを特徴とするブレ補正機能付きデジタルカメラ。
【請求項２】
前記ブレ補正機能付きデジタルカメラは、さらに、
振動を検出する振動検出手段と、
結像光学系の一部を駆動させて前記振動に起因するブレを補正するブレ補正手段と、
前記振動検出手段の検出結果に基づいて、前記ブレ補正手段の補正方向及び補正量を算出する補正演算手段と、
前記補正演算手段の算出結果に基づいて前記ブレ補正手段を制御することで、前記ブレ補正モードにおける補正駆動を行う補正制御手段と、
前記補正演算手段で算出された前記補正方向を反転演算する警告演算手段と、
前記結像光学系を透過した被写体像を視覚的に確認するための被写体確認手段と、
を有し、
前記ブレ警告駆動モードにおける警告駆動は、前記補正制御手段において、前記ブレ補正手段が算出した補正量と前記警告演算手段が算出した反転された補正方向とに基づいて前記ブレ補正手段を制御することで行われ、前記被写体確認手段を介して、前記警告駆動により揺動された被写体像を視認させることでブレの発生を撮影者に警告することを特徴とする請求項１に記載のブレ補正機能付きデジタルカメラ。
【請求項３】
前記警告量算出手段は、さらに、前記ブレ補正手段が算出した前記補正量に所定の係数を乗じることで、前記警告駆動による被写体像の揺動の大きさを変更することを特徴とする請求項２に記載のブレ補正機能付きデジタルカメラ。
【請求項４】
前記ブレ補正機能付きデジタルカメラは、さらに、前記結像光学系を透過した被写体像を光電変換して取得する撮像素子を有し、
前記被写体確認手段は、前記撮像素子の撮像時以外に前記結像光学系を透過した被写体像を光学的に視認可能なファインダ手段、または、前記撮像素子の撮像時以外に前記撮像素子により取得された被写体像を電子的に表示可能な表示手段、であることを特徴とする請求項２又は３に記載のブレ補正機能付きデジタルカメラ。
【請求項５】
前記ブレ補正機能付きデジタルカメラは、さらに、全押しされることにより撮像開始を指示するレリーズボタンを有し、
前記レリーズボタンの全押しがされた場合には前記警告駆動を終了することを特徴とする請求項２乃至４のいずれか一項に記載のブレ補正機能付きデジタルカメラ。
【請求項６】
前記ブレ補正機能付きデジタルカメラは、さらに、  前記ブレ補正駆動モードのＯＮ／ＯＦＦを切り替える補正駆動切替手段と、前記ブレ警告駆動モードのＯＮ／ＯＦＦを切り替える警告駆動切替手段と、を有し、
前記警告駆動切替手段がＯＮであった場合には、前記補正駆動切替手段のＯＮ／ＯＦＦに関わらず前記警告駆動を実行することを特徴とする請求項２乃至５のいずれか一項に記載のブレ補正機能付きデジタルカメラ。
【発明の詳細な説明】
【技術分野】
【０００１】
本発明はブレ補正機能を有するデジタルカメラに関し、より詳細には、ブレの発生を撮影者に警告可能なデジタルカメラに関する。
【背景技術】
【０００２】
近年、カメラの普及に伴って、カメラの撮影に不慣れな人でも手軽に失敗のない写真が撮れることが望まれるようになった。失敗撮影の原因には、カメラの構え方や撮影条件により発生する、いわゆる手ブレによる失敗が挙げられる。そこで、この手ブレによる失敗を減らすために、種々の提案がなされている。
【０００３】
例えば、手ブレした状態での撮影が予想されるときに、カメラのファインダやＬＣＤ等の表示部に手ブレを警告するアイコンを表示する技術が開示されている。これにより撮影者は、手ブレが発生しないようにカメラの構えに気を配ったり、撮影の設定を変更する等の予防措置をとることが可能となる。
【０００４】
このような提案としては、例えば、特許文献１がある。特許文献１では、手ブレ補正手段を有するカメラの手ブレ警告表示装置において、手ブレ警告を表示する手ブレ警告表示手段と、前記手ブレ補正手段が動作中か否かを示す手ブレ補正動作情報を表示する手ブレ補正動作表示手段と、を備え、前記手ブレ警告表示手段は、前記手ブレ補正手段が動作中か否かにかかわらず前記手ブレ警告を表示し、前記手ブレ補正動作表示手段は、前記手ブレ補正動作情報を前記手ブレ警告の近傍に表示する構成としている。
【０００５】
また、カメラ内に手ブレを補正するための手ブレ補正機能を搭載したものも広く普及している。しかしながら、このような手ブレ補正機能付きのカメラであっても、例えば手ブレ補正機能の補正能力を超える振動がカメラに加わった場合等には、手ブレが発生してしまう可能性がある。
【０００６】
これを解決する提案としては、例えば、特許文献２がある。特許文献２では、像振れ補正用レンズを移動させて像振れを補正するアクチュエータにおいて、固定部と、像振れ補正用レンズが取り付けられた可動部と、この可動部の、固定部に対する位置を検出する位置検出手段と、可動部を固定部に対して駆動する駆動手段と、位置検出手段による検出信号に基づいて像振れを補正するように駆動手段を制御すると共に、可動部を移動させるべき位置が所定の補正領域から外れると、像振れ補正用レンズを所定の領域外報知パターンで移動させ、像振れ補正が作動していないことを使用者に報知する制御手段と、を有する構成としている。
【先行技術文献】
【特許文献】
【０００７】
【特許文献１】特開２００７−２７９３９４号公報
【０００８】
【特許文献２】特開２００８−１５２０３３号公報
【発明の概要】
【発明が解決しようとする課題】
【０００９】
しかしながら、上記の従来技術では以下のような問題点があった。
【００１０】
すなわち、特許文献１に開示の発明では、手ブレ警告と補正ＯＮの２つのアイコンをスルー画像上に合成して表示しているため、被写体に占めるアイコンの割合が大きく、これらに隠れる領域の被写体を確認できない。アイコンが合成される領域の被写体の色によっては、アイコンがほとんど見えなくなる可能性もある。また、撮影者は表示されたアイコンに注視して、そのアイコンの意味を理解する必要が生じるため、撮影者が撮影に集中していたとき等に、アイコンの存在に気づかずに手ブレした状況で撮影を行ってしまう可能性も考えられる。
【００１１】
さらに、これらのアイコンは光学式ファインダ内には表示されないため、光学式ファインダを用いた撮影では、撮影者は手ブレ発生の警告を知ることができない。また、シャッター速度が手ブレ限界シャッター速度よりも遅いと判別した場合にアイコンを表示させているが、ブレ発生の有無は、三脚の有無や撮影者のカメラの構え方等も大きく影響されるため、手ブレの発生が予想される場合にもアイコンが表示されなかったり、逆に不必要な場面でアイコンが表示されてしまう可能性がある。
【００１２】
特許文献２に開示の発明では、露光中であっても、補正領域から外れた補正レンズを強制的に補正再開領域内に移動させるため、手ブレしたときと同様に像ブレした画像が撮影されてしまう。また、補正領域と補正再開領域とはわずかな差しか設定されていないため、報知パターンの移動量が小さく、カメラに備えられた撮影レンズの焦点距離によっては、撮影者が報知パターンに気がつかない可能性もある。
【００１３】
本発明はこのような状況に鑑みてなされたものであり、新たな部材を追加することなく、簡易な方法で、手ブレの発生を撮影者に確実に警告できるブレ補正機能付きデジタルカメラを提供することを目的とする。
【課題を解決するための手段】
【００１４】
上記目的を達成するために、ブレを補正するブレ補正駆動モードと、ブレの発生を撮影者に警告するブレ警告駆動モードと、を有するブレ補正機能付きデジタルカメラにおいて、ブレ警告駆動モードにおける警告駆動を、ブレ補正駆動モードにおける補正駆動において補正方向を反転させた駆動とする構成とする。
【００１５】
さらに本発明を実施のブレ補正機能付きデジタルカメラは、上記発明において、振動を検出する振動検出手段と、結像光学系の一部を駆動させて振動に起因するブレを補正するブレ補正手段と、振動検出手段の検出結果に基づいて、ブレ補正手段の補正方向及び補正量を算出する補正演算手段と、補正演算手段の算出結果に基づいてブレ補正手段を制御することで、ブレ補正モードにおける補正駆動を行う補正制御手段と、補正演算手段で算出された補正方向を反転演算する警告演算手段と、結像光学系を透過した被写体像を視覚的に確認するための被写体確認手段と、を有し、ブレ警告駆動モードにおける警告駆動を、補正制御手段において、ブレ補正手段が算出した補正量と警告演算手段が算出した反転された補正方向とに基づいてブレ補正手段を制御することで行い、被写体確認手段を介して、警告駆動により揺動された被写体像を視認させることでブレの発生を撮影者に警告する構成としたものである。
【００１６】
さらに本発明を実施のブレ補正機能付きデジタルカメラは、上記発明において、警告量算出手段を、さらに、ブレ補正手段が算出した補正量に所定の係数を乗じることで、警告駆動による被写体像の揺動の大きさを変更できる構成としたものである。
【００１７】
さらに本発明を実施のブレ補正機能付きデジタルカメラは、上記発明において、結像光学系を透過した被写体像を光電変換して取得する撮像素子を有し、被写体確認手段を、撮像素子の撮像時以外に結像光学系を透過した被写体像を光学的に視認可能なファインダ手段、または、撮像素子の撮像時以外に撮像素子により取得された被写体像を電子的に表示可能な表示手段、とする構成としたものである。
【００１８】
さらに本発明を実施のブレ補正機能付きデジタルカメラは、上記発明において、全押しされることにより撮像開始を指示するレリーズボタンを有し、レリーズボタンの全押しがされた場合には警告駆動を終了する構成としたものである。
【００１９】
さらに本発明を実施のブレ補正機能付きデジタルカメラは、上記発明において、ブレ補正駆動モードのＯＮ／ＯＦＦを切り替える補正駆動切替手段と、ブレ警告駆動モードのＯＮ／ＯＦＦを切り替える警告駆動切替手段と、を有し、警告駆動切替手段がＯＮであった場合には、補正駆動切替手段のＯＮ／ＯＦＦに関わらず警告駆動を実行する構成としたものである。
【発明の効果】
【００２０】
本発明を実施のデジタルカメラによれば、新たな部材を追加することなく、従来から存在するブレ補正制御の一部を変更するだけで、手ブレの発生を撮影者に確実に警告することができる。また、ブレ警告による被写体像の揺動の大きさを任意に設定することができるので、撮影者は撮影のシチュエーションに応じて、より最適なブレ警告を利用することができる。
【図面の簡単な説明】
【００２１】
【図１】本発明の一実施形態であるブレ補正機能付きデジタルカメラの主要部の構成を示すシステムブロック図である。
【図２】図１に示したデジタルカメラにおいて、ブレが発生した状態での、ブレ補正駆動ＯＦＦ時、ブレ補正駆動ＯＮ時、及び、ブレ警告駆動時のそれぞれの光線の軌跡を模式的に表した断面図である。
【図３】図１に示したデジタルカメラの撮像ルーチンを示したフローチャートである。
【発明を実施するための形態】
【００２２】
以下、添付の図面に従って、本発明を実施するための最良の形態について説明する。なお、この実施の形態により本発明が限定されるものではない。
【００２３】
図１に示すシステムブロック図には、本発明の一実施形態であるデジタルカメラ１００の主要な構成が示されている。
【００２４】
デジタルカメラ１００は、結像光学系として機能するレンズ１１０を透過した被写体光をＣＣＤやＣＭＯＳセンサからなる撮像素子１２０において光電変換し、画像データを生成することで被写体像を取得する。このデジタルカメラ１００はレンズ１１０の他にブレ補正手段として機能するブレ補正ユニット１３１も有しており、このブレ補正ユニット１３１も結像光学系の一部を構成している。ブレ補正ユニット１３１は、撮影者の手ブレに起因する被写体像の乱れを防止するための補正レンズを有しており、この補正レンズを適切に駆動することで像ブレを補正している。ブレ補正の詳しい駆動については、後に説明する。なお、本図では結像光学系としてレンズ１１０及びブレ補正ユニット１３１内の補正レンズのみが記載されているが、この他にも結像光学系を構成する光学素子を有していてもよい。
【００２５】
ブレ補正ユニット１３１と撮像素子１２０との間の光軸上にはクイックリターンミラー１４１が配置されており、クイックリターンミラー１４１の上方には、被写体確認手段（ファインダ手段）として機能するファインダ光学系が配置されている。ファインダ光学系は、クイックリターンミラー１４１側から、ピント板１４２、ペンタプリズム１４３、ファインダレンズ１４４の順番で構成されている。クイックリターンミラー１４１によって上方に反射された被写体光は、ピント板１４２で一次結像した後、ペンタプリズム１４３に入射する。ペンタプリズム１４３内で反射を繰り返した被写体光はペンタプリズム１４３後方の射出面より射出し、この射出面に対向するように配置されたファインダレンズ１４４を透過して撮影者の瞳位置に到達する。撮影者はこのファインダレンズ１４４を介して被写体光を観察することで、撮影画角の確認等を行うことができる。
【００２６】
デジタルカメラ１００のレリーズボタン１５０が全押しされ（ＳＷ１及びＳＷ２がＯＮ）デジタルカメラ１００が撮像動作に入ると、クイックリターンミラー１４１が光軸上から退避位置に移動する。これにより、レンズ１１０を含む結像光学系を透過した被写体光が、ＣＣＤセンサやＣＭＯＳセンサ等からなる撮像素子１２０に到達する。撮像素子１２０上の結像面で結像した被写体光は撮像素子１２０内の各素子で光電変換され、画像信号として出力される。取得された画像信号は撮像素子１２０から画像処理部１６１に送られ、ここでゲイン調整処理、ノイズ除去処理、Ａ／Ｄ変換、ガンマ補正、シャープネス補正等の画像処理が施される。これらの画像処理が施された画像信号は、画像データとして中央制御部１６２に送られる。
【００２７】
中央制御部１６２に入力された画像データは画像記録部１６３に送られる。画像データはそこでＪＰＥＧ方式等の所定の記録方式に変換され、メモリーカード等の不図示の記録メディアに記録される。また、中央制御部１６２は撮影された画像データを表示するために、この画像データを被写体確認手段（表示手段）として機能するＬＣＤや有機ＥＬ等からなる表示部１７０に送る。これにより撮影者は自分が撮影した画像をその場で確認することができる。
【００２８】
デジタルカメラ１００がライブビュー対応である場合には、この表示部１７０に撮像素子１２０で得られた被写体のライブビュー画像を表示することも可能である。また、デジタルカメラ１００が、上述したファインダ光学系の代わりに表示部１７０としてＥＶＦ（電子ビューファインダ）を備えている場合には、ここに被写体のライブビュー画像を表示することで、撮影者は光学ファインダがあるときと同様の使用感で撮影画角の確認等を行うことができる。
【００２９】
振動検出手段として機能する振動検出部１３２はジャイロセンサ等の角速度センサからなり、デジタルカメラ１００に作用する振動を検出し、その向きと大きさに応じた振動検出信号を中央制御部１６２に出力する。ブレ補正ユニット１３１は、上述した補正レンズの他に、補正レンズを光軸と垂直な平面上で駆動させる、ＶＣＭ等からなるレンズ駆動手段や、磁力の変化を検知して補正レンズの位置を検出する、ホール素子等からなるレンズ位置検出手段等で構成されている。
【００３０】
ブレ補正ユニット１３１のレンズ位置検出手段で検出されたレンズ位置情報は中央制御部１６２に送られる。中央制御部１６２では、入力された振動検出信号及びレンズ位置情報に基づいて、制御すべき補正レンズの駆動方向及び駆動量を算出する。このとき中央制御部１６２は補正演算手段として機能する。補正制御部１３３は、中央制御部１６２の算出結果に基づいてブレ補正ユニット１３１を適正に制御する補正制御手段として機能する。これにより、デジタルカメラ１００に振動が加わった場合にも、撮像素子１２０の結像面上において被写体像のブレが抑制されるので、撮影者はブレのない写真を撮ることができる。
【００３１】
デジタルカメラ１００には、上述したブレ補正ユニット１３１によるブレ補正駆動を行うブレ補正駆動モードのＯＮ／ＯＦＦを切り替える補正駆動切替手段として機能するブレ補正切替スイッチ１８０が備えられている。撮影者は、流し取り撮影を行う場合であるとか、十分なシャッタースピードが得られる場合等には、このスイッチによって補正動作をＯＦＦにすることができる。また、デジタルカメラ１００には、ブレ補正切替スイッチ１８０の他にも警告駆動切替手段として機能するブレ警告切替スイッチ１９０が備えられている。この切替スイッチは、ブレの発生を撮影者に警告するブレ警告駆動モードのＯＮ／ＯＦＦを切り替えるためのものである。
【００３２】
ブレ警告駆動モードにおけるブレ警告駆動は、上述したブレ補正駆動を利用しており、デジタルカメラ１００に作用した振動に対する補正レンズの駆動方向を反転させたものである。これは、振動により発生するブレを増大する方向への駆動であるため、振動により発生するファインダ像の揺れが強調されることとなり、撮影者は容易にブレの発生を認識することが可能となる。
【００３３】
上述したブレ警告駆動について詳しく説明する。撮影者が上述したブレ警告切替スイッチ１９０をＯＮに設定している場合を考える。この状態でデジタルカメラ１００に振動が加わると、振動検出部１３２がこの振動を検出して、その向きと大きさに応じた振動検出信号を中央制御部１６２に出力する。また、ブレ補正ユニット１３１内のレンズ位置検出手段は補正レンズの位置を検出しており、それに応じたレンズ位置情報を中央制御部１６２に出力する。これらの情報を受信した中央制御部１６２は、上述したブレ補正駆動時と同様に、制御すべき補正レンズの駆動方向及び駆動量を算出する。このとき中央制御部１６２は警告演算手段として機能する。
【００３４】
次に中央制御部１６２は、ブレ警告駆動を行うために、算出した補正レンズの駆動方向を反転する演算を行う。得られた補正レンズの駆動量及び反転された駆動方向の信号は補正制御部１３３に送られ、補正制御部１３３はこれらの算出結果に基づいてブレ補正ユニット１３１を適正に制御する。これにより、デジタルカメラ１００に作用した振動は増幅されるので、ファインダ像の大きな揺れとなって撮影者に観察されることになる。
【００３５】
図２には、ブレが発生した状態での、ブレ補正駆動ＯＦＦ時、ブレ補正駆動ＯＮ時、及び、ブレ警告駆動時のそれぞれの光線の軌跡を模式的に表した断面図である。図１ではブレ補正ユニット１３１と撮像素子１２０との間にクイックリターンミラー１４１が配置されているが、ここでは省略した。
【００３６】
図２ａはブレ補正駆動がＯＦＦの状態であり、デジタルカメラ１００に作用した振動によって光軸が傾き、撮像素子１２０の結像面上で像ブレが生じていることがわかる。この像ブレを補正するために、ブレ補正切替スイッチ１８０をＯＮに設定しブレ補正駆動を実行すると、図２ｂに示すようにブレ補正ユニット１３１内の補正レンズが所定量だけシフトし、光線が適切な位置に導かれることになる。一方、図２ｃは像ブレの発生を撮影者に警告するためのブレ警告駆動が実行された状態を示している。この場合には、補正レンズは上述したようにブレ補正駆動とはその駆動方向が反転された方向に駆動されている。その結果、結像面における像ブレが増幅されていることがわかる。
【００３７】
これらの光線のズレは、本図中では省略したクイックリターンミラー１４１で反射され、ファインダ光学系を透過して撮影者の眼に到達し、撮影者にも像ブレとして認識されることになる。撮影者には認識できないような微少な像ブレであっても、ブレ警告駆動を実行することでそのブレが増幅されるので、撮影者は容易に像ブレの発生を認識することができる。これにより、撮影者は予め撮影条件の見直しや撮影姿勢に注意する等の対応を行うことができるので、像ブレによる失敗撮影を減らすことが可能となる。
【００３８】
また、補正レンズの駆動方向を反転するだけでなく、駆動量に所定の係数を乗じる演算も行うことにより、ブレ警告駆動による揺動の増幅率を任意の大きさにすることが可能となる。この係数を予め複数用意しておき、撮影のシチュエーションに応じて撮影者が任意に選択できるようにしておけば、より利便性の高いデジタルカメラを提供することができる。
【００３９】
次に、図３に示すフローチャートを使って、上述したブレ警告駆動を含むデジタルカメラ１００の撮像ルーチンについて説明する。
【００４０】
まず、電源が投入された状態のデジタルカメラ１００において、ステップＳ１０１で中央制御部１６２はレリーズボタン１５０のＳＷ１の状態を調べる。ここで、ＳＷ１がＯＮであった場合にはステップＳ１０２に進み、ＯＦＦであった場合にはステップＳ１０１に戻って、レリーズボタン１５０の状態の監視を続ける。
【００４１】
ステップＳ１０２では、デジタルカメラ１００は公知のＡＦ処理及びＡＥ処理を行う。公知のＡＦ処理としては、いわゆる位相差検出方式のＡＦでもよいし、また、コントラスト検出方式のＡＦであってもよい。このＡＦ処理によって得られたピント位置に基づいて、中央制御部１６２は不図示のレンズ駆動手段を介して結像光学系の一部を駆動させ、合焦動作を行う。また、公知のＡＥ処理では、不図示のＡＥセンサ若しくは撮像素子１２０で取得した画像信号を用いて、撮影に最適な絞りの大きさやシャッタースピード等の露出条件が決定される。
【００４２】
ＡＦ処理及びＡＥ処理が完了すると、次にステップＳ１０３においてブレ警告切替スイッチ１９０の状態を検出する。このスイッチがＯＮであった場合にはステップＳ１１１に進み、ＯＦＦであった場合にはステップＳ１０４に進む。ここではまず、ブレ警告切替スイッチ１９０がＯＦＦであった場合（ステップＳ１０４以降）について説明する。
【００４３】
ステップＳ１０４では、中央制御部１６２はブレ補正切替スイッチ１８０の状態を検出する。ここで、このスイッチがＯＮであった場合にはステップＳ１０５に進み、上述したようにブレ補正ユニット１３１を適切に制御することでブレ補正駆動が開始された後、ステップＳ１０６に進む。一方、このスイッチがＯＦＦであった場合には、ブレ補正駆動を行うことなくステップＳ１０６に進む。
【００４４】
ステップＳ１０６では、確認のためにレリーズボタン１５０のＳＷ１の状態を再度検出する。ここでＳＷ１がＯＦＦであった場合には、撮影者が撮影準備動作を中止したということであるから、中央制御部１６２はいままでの処理を全てキャンセルしてステップＳ１０１に戻る。ＳＷ１がＯＮであると確認された場合にはステップＳ１０７に進み、続いてレリーズボタン１５０のＳＷ２の状態が検出される。ここでＳＷ２がＯＮであった場合には、撮像処理を行うためにステップＳ１０８に進む。ＳＷ２がＯＦＦであった場合には、撮影者はまだ構図の決定等をしている段階であるから、中央制御部１６２はステップＳ１０６に戻ってレリーズボタン１５０の状態の監視を続ける。
【００４５】
ステップＳ１０８では、ステップＳ１０２で行われたＡＦ処理及びＡＥ処理の結果に基づいて撮像処理が行われる。この撮像処理では、上述したように、撮像素子１２０で取得された画像信号を画像処理部１６１において画像データに変換し、次に画像記録部１６３においてＪＰＥＧ方式等の所定の記録方式に変換されて、最終的にメモリーカード等の不図示の記録メディアに記録されることになる。撮像処理が完了するとステップＳ１０９に進む。
【００４６】
ステップＳ１０９では、デジタルカメラ１００がブレ補正駆動を実行中であるかどうかが確認される。ステップＳ１０４でブレ補正切替スイッチ１８０がＯＮであり、ステップＳ１０５においてブレ補正駆動が開始されていた場合にはステップＳ１１０に進む。ステップＳ１１０でブレ補正駆動の終了処理が行われると、撮影ルーチンが終了する。一方、ブレ補正ユニット１３１によるブレ補正駆動が実行されていなかった場合には、撮像ルーチンが終了する。
【００４７】
次に、ステップＳ１０３においてブレ警告切替スイッチ１９０がＯＮだった場合について説明する。ブレ警告切替スイッチ１９０のＯＮが検出されるとステップＳ１１１に進み、そこでブレ警告駆動が開始される。ブレ警告駆動の詳細については既に説明しているので、ここでは省略する。
【００４８】
ブレ警告駆動が開始されるとステップＳ１１２に進み、確認のためにレリーズボタン１５０のＳＷ１の状態を再度検出する。ここでＳＷ１がＯＦＦであった場合には、撮影者が撮影準備動作を中止したということであるから、中央制御部１６２はいままでの処理を全てキャンセルしてステップＳ１０１に戻る。ＳＷ１がＯＮであると確認された場合にはステップＳ１１３に進み、続いてレリーズボタン１５０のＳＷ２の状態が検出される。ここでＳＷ２がＯＮであった場合には、ブレ警告駆動を終了するためにステップＳ１１４に進む。ＳＷ２がＯＦＦであった場合には、撮影者はまだ構図の決定等をしている段階であるから、中央制御部１６２はステップＳ１１２に戻ってレリーズボタン１５０の状態の監視を続ける。
【００４９】
ステップＳ１１４では、ステップＳ１１１で開始されたブレ警告駆動を終了する。これにより、ブレ警告駆動によって大きくブレた被写体像を撮影してしまうような事態を防ぐことができる。
【００５０】
次に、ステップＳ１１５でブレ補正切替スイッチ１８０の状態が検出される。ここで、このスイッチがＯＮであった場合にはステップＳ１１６に進み、上述したようにブレ補正ユニット１３１を適切に制御することでブレ補正駆動が開始された後、ステップＳ１０８に進む。一方、このスイッチがＯＦＦであった場合には、直接ステップＳ１０８に進む。ステップＳ１０８以降は、既に説明した流れと同様なので、説明は省略する。
【００５１】
なお、上述した実施形態のデジタルカメラでは、結像光学系内の一部のレンズ（補正レンズ）を適切に駆動してブレを補正する、いわゆるレンズシフト式のブレ補正機能を用いて説明したが、撮像素子を適切に駆動することでブレを補正する、いわゆるイメージャシフト式のブレ補正機能を用いた場合であっても、本実施形態と同様の効果が得られることは明らかである。同様に、画像処理によってブレを補正する電子式のブレ補正機能を用いることも可能である。
【００５２】
イメージャシフト式のブレ補正機能を有したデジタルカメラの場合には、上述した実施形態において撮像素子の基台にブレ補正ユニットが備えられることになる。ブレ補正駆動時には、撮像素子を適切に駆動することでブレを補正し、被写体像はＥＶＦやＬＣＤ等の表示部に表示される。一方、ブレ警告駆動時には、反転された補正方向に撮像素子を駆動することでブレを増幅し、ＥＶＦやＬＣＤ等の表示部に表示される被写体像を揺動させ、撮影者にブレの発生を警告する。
【００５３】
また、電子式のブレ補正機能を有したデジタルカメラの場合には、上述した実施形態におけるブレ補正ユニットや補正制御部、振動検出部は不要であり、代わりに中央制御部内において公知の電子式ブレ補正を行うことになる。一方、ブレ警告駆動時には、中央制御部内においてブレを増幅する方向の演算を行うことでＥＶＦやＬＣＤ等の表示部に表示される被写体像を揺動させ、撮影者にブレの発生を警告する。
【００５４】
以上で説明したように、本発明に記載のデジタルカメラによれば、新たな部材を追加することなく、従来から存在するブレ補正制御の一部を変更するだけで、手ブレの発生を撮影者に確実に警告することが可能となる。また、ブレ警告による被写体像の揺動の大きさを任意に設定することができるので、撮影者は撮影のシチュエーションに応じて、より最適なブレ警告を利用することが可能となる。
【符号の説明】
【００５５】
１００      デジタルカメラ
１１０      レンズ
１２０      撮像素子
１３１      ブレ補正ユニット
１３２      振動検出部
１３３      補正制御部
１５０      レリーズボタン
１６１      画像処理部
１６２      中央制御部
１７０      表示部
１８０      ブレ補正切替スイッチ
１９０      ブレ警告切替スイッチ
【図１】
2011097449.tif 000003
【図２】
2011097449.tif 000004
【図３】
2011097449.tif 000005